(57)【特許請求の範囲】
【請求項１】
集塵室、電動送風機を収納する電動送風機収納室、及び蓄電池を収納する電池収納部を有する掃除機本体と、前記電池収納部を開閉自在に覆い掃除機本体底面を構成するカバーと、前記掃除機本体下面前方に配設される前車輪と、前記掃除機本体側面に配設される一対の後車輪と、前記掃除機本体に接続される可撓性ホースと、該可撓性ホースに接続される延長管と、該延長管に接続される床用吸込具と、前記掃除機本体が着脱自在に装着され、掃除機本体の装着状態で蓄電池に充電する充電台とを備え、前記蓄電池を掃除機本体下部の後車輪間に配置するとともに、前記前車輪をカバーに配設したことを特徴とする電気掃除機。
【発明の詳細な説明】
【０００１】
【発明の属する技術分野】
本発明は、蓄電池を内蔵した充電式の電気掃除機に関するものである。
【０００２】
【従来の技術】
従来、いわゆるキャニスター型電気掃除機において、電動送風機を蓄電池により駆動するものが、実公平６−８８５２号公報（Ａ４７Ｌ  ９／２８）にて知られている。
【０００３】
このような充電式の電気掃除機においては、電動送風機と同様に蓄電池が重量のある大きな構成部品であるため、掃除機本体の安定性等を確保するために蓄電池を掃除機本体下部に設けるのが最適であると考えられる。
【０００４】
また、充電式電気掃除機において、蓄電池の交換などのメンテナンスは必須条件であり、電池収納部をカバーで覆うなど、電池収納部を開閉自在な構造とすることが必要である。
【０００５】
しかしながら、蓄電池を掃除機本体下部に収納していると、掃除中に掃除機本体が段差に衝突した場合や、掃除機本体を運搬中に落下させた場合など、蓄電池収納部に直接衝撃が加わりやすく、蓄電池や電池収納部のカバーが破損する恐れがある。
【０００６】
【発明が解決しようとする課題】
本発明は、上記課題に鑑みなされたもので、掃除機本体の安定性を確保するとともに、蓄電池及び電池収納部の破損を防止できる電気掃除機を提供することを課題とする。
【０００８】
【課題を解決するための手段】
本発明は、集塵室、電動送風機を収納する電動送風機収納室、及び蓄電池を収納する電池収納部を有する掃除機本体と、前記電池収納部を開閉自在に覆い掃除機本体底面を構成するカバーと、前記掃除機本体下面前方に配設される前車輪と、前記掃除機本体側面に配設される一対の後車輪と、前記掃除機本体に接続される可撓性ホースと、該可撓性ホースに接続される延長管と、該延長管に接続される床用吸込具と、前記掃除機本体が着脱自在に装着され、掃除機本体の装着状態で蓄電池に充電する充電台とを備え、前記蓄電池を掃除機本体下部の後車輪間に配置するとともに、前記前車輪をカバーに配設したことを特徴とする。
【０００９】
【発明の実施の形態】
本発明の第1の実施の形態を図面に基づいて以下に詳述する。
【００１０】
１は掃除機本体で、前方に吸気口２を形成した集塵室３、後方に電動送風機４を収納する電動送風機収納室５を有している。６は前記集塵室３内に収納され、開口部を前記吸気口２に連通した状態に装着される集塵袋、７は前記集塵室３上面開口を開閉自在に閉塞する集塵蓋である。
【００１１】
８は前記集塵室３前面に取り付けられたフロントカバーで、前記吸気口２に連通する接続筒部９を形成しており、該接続筒部９に後述する可撓性ホース１６の一端部を着脱自在に装着するようになっている。
【００１２】
１０は前記掃除機本体１の下面前方に配設されたキャスターローラー、１１は前記掃除機本体１の後部側面に回転自在に配設された一対の後車輪である。
【００１３】
１２は前記電動送風機収納室５下部に取り付けられて掃除機本体１下面の一部分を構成するカバーで、前記電動送風機収納室５底壁との間に蓄電池１３を収納する収納部１４を形成している。前記収納部１４は、掃除機本体１の後車輪１１間に配置されている。
【００１４】
前記掃除機本体１後部には、接続端子である導電性の端子板１５を配設しており、該端子板１５を前記蓄電池１３に接続している。
【００１５】
１６は一端部に形成した接続管１７を前記掃除機本体１の接続筒部９に挿入して吸気口２に着脱自在に接続する可撓性ホースで、該可撓性ホース１６の他端部に延長管１８及び床用吸込具１９を順次着脱自在に接続するようになっている。２０は前記可撓性ホース１６の接続管１７に一体的に形成されたハンドルで、該可撓性ホース１６を掃除機本体１に接続した際に掃除機本体１上面側に位置するようになっている。
【００１６】
２１は図示しないトランス及び充電制御回路とからなる充電器を内蔵する充電台で、前記掃除機本体１後面を下方に向けた起立状態で載置する載置部を有している。
【００１７】
前記充電台２１には、前記掃除機本体１の端子板１５に対応する位置に、導電性の板バネ等の図示しない充電端子を内蔵し、該充電端子を、内蔵する充電器に接続している。
【００１８】
上記構成において、電動送風機４及び蓄電池１３はいずれも重い部品であるため、掃除機本体１を落下させた場合や、衝撃が加わった場合には、電動送風機４を支持する支持リブ、及び電動送風機収納室５底面との間で蓄電池１３を支持するカバー１２を固定する取付ボスに過大な力が加わって破損しやすい。
【００１９】
従って、図５及び図６に示す第2の実施の形態のごとく、電動送風機４を支持する支持リブ２２とカバー１２の取付ボス２３とを補強リブ２４にて連結することにより、支持リブ２２及び取付ボス２３の強度を向上でき、破損を防止できる。
【００２０】
本構成において、掃除機を使用しないときには、掃除機本体１の後面を下方に向けた状態で掃除機本体１を充電台２１に載置して収納する。このとき、掃除機本体１後面に設けた接続端子である端子板１５が、充電台２１の充電端子に接触し、掃除機本体１に内蔵した蓄電池１３が充電される。
【００２１】
掃除をする際は、充電台２１から掃除機本体１を取り外し、掃除機本体１の吸気口２に可撓性ホース１６一端の接続管１７を接続するとともに、可撓性ホース１６の他端部に延長管１８、さらに床用吸込具１９を接続した状態で、且つ、キャスターローラー１０及び後車輪１１を床面に接地した状態で移動させて使用する。
【００２２】
蓄電池１３の収納部１４は、後車輪１１の間に配置されているため、掃除機本体１が段差を乗り越える際などに、収納部１４のカバー１２に直接衝撃が加わることがなく、カバー１２の破損を防止できるとともに、収納部１４に収納された蓄電池１３の破損を防止できる。
【００２３】
また、蓄電池１３を掃除機本体１下部に配設することにより、蓄電池１３を掃除機本体１に装着した状態で掃除機本体１の重心が下方に移動し、掃除機本体１が転倒しにくくなって走行安定性が向上し、操作性及び使用性を向上できる。
【００２４】
上記実施の形態では、収納部１４を掃除機本体１下部後方の後車輪１１間に形成したが、図７及び図８に示す第３の実施の形態のごとく構成しても良い。
【００２５】
すなわち、集塵室３及び電動送風機収納室５底面をほぼ全面にわたって覆い、掃除機本体１底面を構成するカバー２５を配設し、掃除機本体1底面とカバー２５との間に蓄電池２６の収納部２７を形成する。
【００２６】
本実施の形態では、カバー２５底面にキャスターローラー２８を配設している。
【００２７】
本実施の形態によると、掃除機本体１底面全体を構成するカバー２５を設けるとともに、カバー２５にキャスターローラー２８を取り付けることにより、蓄電池２６の収納部２７面積を大きくすることができ、より多くの蓄電池２６を収納することにより掃除機の連続使用時間を長くすることができるなど、使用性を向上できる。
【００２８】
また、掃除機本体１底面全体に蓄電池２６を収納することにより、第1の実施の形態に比べて、掃除機本体１の重心が後方へ移動することがなく、掃除機本体１の安定性をより向上できる。
【００３０】
【発明の効果】
本発明の請求項１によると、蓄電池を掃除機本体下部の後車輪間に配置するとともに、掃除機本体底面を構成するカバーに前車輪を排泄することにより、蓄電池の収納部面積を大きくすることができ、より多くの蓄電池を収納することにより掃除機の連続使用時間を長くすることができるなど、使用性を向上できる。
【００３１】
また、掃除機本体底面全体に蓄電池を収納することにより、掃除機本体の重心が後方へ移動することがなく、掃除機本体の安定性をより向上させることができる。
【図面の簡単な説明】
【図１】本発明の第1の実施の形態を示す掃除機本体の断面図である。
【図２】同電気掃除機の側面図である。
【図３】同電気掃除機の底面図である。
【図４】同掃除機本体の収納状態を示す側面図である。
【図５】同第2の実施の形態を示す掃除機本体の断面図である。
【図６】同要部拡大断面図である。
【図７】同第3の実施の形態を示す掃除機本体の断面図である。
【図８】同掃除機本体の底面図である。
【符号の説明】
１          掃除機本体
３          集塵室
４          電動送風機
１０        キャスターローラー(前車輪)
１１        後車輪（車輪）
１２        カバー
１３        蓄電池
１４        収納部
１６        可撓性ホース
１８        延長管
１９        床用吸込具
２１        充電台
２５        カバー
２６        蓄電池
２７        収納部
２８        キャスターローラー(前車輪)
【図１】
0004306938.tif 000002
【図２】
0004306938.tif 000003
【図３】
0004306938.tif 000004
【図４】
0004306938.tif 000005
【図５】
0004306938.tif 000006
【図６】
0004306938.tif 000007
【図７】
0004306938.tif 000008
【図８】
0004306938.tif 000009